(57)【要約】【課題】ドラムヘッドを備えるドラムにおいて、ドラムの放射音（生の音）を阻害することなく、ドラムヘッドの振動を検出できるようにする。【解決手段】円環状のフープ２１と、フープ２１に取り付けられるセンサ２４と、を備えるセンサ付フープ２５を提供する。センサ付フープ２５は、ドラムヘッド３を備えるドラム１の胴部の外周に配される。センサ２４は、フープ２１の内周面に取り付けられてよい。センサ２４は、振動、音圧を検出する。【選択図】図１
2017134211.tif 000002
【特許請求の範囲】
【請求項１】
ドラム用のセンサ付フープであって、
円環状のフープと、
前記フープに取り付けられたセンサと、を備えるセンサ付フープ。
【請求項２】
前記センサが、振動を検出する請求項１に記載のセンサ付フープ。
【請求項３】
前記センサが、音圧を検出する請求項２に記載のセンサ付フープ。
【請求項４】
前記センサが、前記フープの内周面に取り付けられている請求項１から請求項３のいずれか一項に記載のセンサ付フープ。
【請求項５】
胴部と、
前記胴部の開口に取り付けられたドラムヘッドと、
前記胴部の外周に配された請求項１から請求項４のいずれか一項に記載のセンサ付フープと、を備えるドラム。
【請求項６】
前記ドラムヘッドの膜部の外周領域に、開口孔が形成され、
前記センサが、前記フープの周方向において前記開口孔の近傍に位置している請求項５に記載のドラム。
【発明の詳細な説明】
【技術分野】
【０００１】
本発明は、センサ付フープ、及び、これを備えるドラムに関する。
【背景技術】
【０００２】
アコースティックドラム（以下、ドラムと呼ぶ。）では、打撃に基づくドラムヘッドの振動によって生の音（放射音）が発生する。
特許文献１には、ドラムヘッドの振動を検出することでドラムの放射音を集音するピックアップ装置が開示されている。特許文献１のピックアップ装置では、ドラムヘッドに圧接された振動源がドラムヘッドの振動に追随して振動することで、ドラムヘッドの振動を検出する。
【先行技術文献】
【特許文献】
【０００３】
【特許文献１】特許第３４３４５０９号公報
【発明の概要】
【発明が解決しようとする課題】
【０００４】
しかしながら、特許文献１のピックアップ装置では、振動源がドラムヘッドに押し当てられるため、ドラムヘッドの振動を阻害してしまう。その結果、ドラムの放射音に影響を与えてしまう、という問題がある。
【０００５】
本発明は、上述した事情に鑑みてなされたものであって、ドラムの放射音を阻害することなく、ドラムヘッドの振動を検出できるセンサ付フープ及びこれを備えるドラムを提供することを目的とする。
【課題を解決するための手段】
【０００６】
本発明は、円環状のフープと、前記フープに取り付けられたセンサと、を備えるドラム用のセンサ付フープを提供する。
本発明は、胴部と、前記胴部の開口に取り付けられたドラムヘッドと、前記センサ付フープと、を備えるドラムを提供する。
【発明の効果】
【０００７】
本発明によれば、ドラムヘッドの振動がフープを介してセンサに伝わることで、ドラムヘッドの振動をセンサによって検出することができる。そして、センサは、フープに取り付けられることで、ドラムヘッドに接触することを防止できる。したがって、ドラムの放射音に影響を与えることなく、ドラムヘッドの振動を検出することが可能となる。
【図面の簡単な説明】
【０００８】
【図１】本発明の第一実施形態に係るスネアドラムを示す上面図である。
【図２】図１のII−II矢視断面図である。
【図３】図１，２のスネアドラムの要部を示す拡大断面図である。
【図４】本発明の第二実施形態に係るスネアドラムを示す上面図である。
【図５】図４のスネアドラムの要部を示す拡大断面図である。
【図６】本発明の他の実施形態に係るスネアドラムを示す下面図である。
【発明を実施するための形態】
【０００９】
〔第一実施形態〕
以下、図１〜３を参照して本発明の第一実施形態について説明する。
図１〜３に示すように、この実施形態に係るドラムは、アコースティックドラムの一種であるスネアドラム１である。スネアドラム１は、筒状のシェル（胴部）２と、シェル２の一方の開口に取り付けられて打面として使用されるバターヘッド（第一ドラムヘッド）３Ａと、シェル２の他方の開口に取り付けられるスネアサイドヘッド（第二ドラムヘッド）３Ｂと、を備える。また、スネアドラム１は、スネアサイドヘッド３Ｂに対して選択的に押し付けられるスナッピー４を備える。
以下の説明では、バターヘッド３Ａ、スネアサイドヘッド３Ｂを単にドラムヘッド３と呼ぶことがある。
【００１０】
シェル２は、木材や金属などの材料によって構成されている。
バターヘッド３Ａ、スネアサイドヘッド３Ｂの各ドラムヘッド３は、いずれもＰＥＴ（ポリエチレンテレフタレート）などのフィルムからなる平面視円形のヘッド部１１を備える。ヘッド部１１は、シェル２の各開口の縁部２Ａ，２Ｂの内側に配される膜部１２と、膜部１２の外縁に一体に形成され、シェル２の各開口の縁部２Ａ，２Ｂの外側に配される外側膜部１３と、を有する。各ドラムヘッド３の膜部１２は、バターヘッド３Ａの膜部１２を打撃した際に有効に振動する部分である。以下の説明では、膜部１２を有効振動膜部１２と呼ぶ。
【００１１】
外側膜部１３は、ドラムヘッド３をシェル２に取り付けた状態において、有効振動膜部１２の外縁から、有効振動膜部１２の径方向外側に向かうにしたがって有効振動膜部１２の膜厚方向に傾斜するように延びる。
また、ドラムヘッド３は、ヘッド部１１（外側膜部１３）の外縁に連結されて、ヘッド部１１を平面視円形状に保持する円環状のフレッシュフープ１４を備える。フレッシュフープ１４の内径寸法はシェル２の外径寸法よりも大きく設定されている。
【００１２】
また、スネアドラム１は、シェル２の外周に配される円環状のフープ２１を備える。
本実施形態において、フープ２１は、二つのドラムヘッド３に対して一つずつ設けられる。各フープ２１は、従来周知のラグ２２及びチューニングボルト２３と共に、ドラムヘッド３のヘッド部１１をシェル２の各開口に張り付けて有効振動膜部１２にテンションを付与する張設部２０を構成する。ラグ２２及びこれにねじ込んで取り付けられるチューニングボルト２３は、シェル２の周方向に均等に複数配列されている。そして、各ラグ２２に取り付けられた各チューニングボルト２３を締め込むことで、フープ２１がドラムヘッド３のフレッシュフープ１４をシェル２のうちドラムヘッド３を取り付けた一方の開口側から他方の開口側に向けて押す。これによって、有効振動膜部１２にテンションが付与される。
【００１３】
本実施形態において、各フープ２１は、フレッシュフープ１４に押し付けられる円環状の押付部２６と、押付部２６から軸方向に突出する円筒状の突出筒部２７と、を備える。
押付部２６は、フープ２１によって有効振動膜部１２にテンションが付与された状態で、シェル２の外周面に対向して配される。
突出筒部２７は、フープ２１によって有効振動膜部１２にテンションが付与された状態で、押付部２６よりもドラムヘッド３が取り付けられたシェル２の開口側に位置する。本実施形態において、突出筒部２７の突出方向の基端部は、押付部２６と同様にシェル２の外周面に対向して配される。突出筒部２７の突出方向の先端部は、シェル２の開口から突出する。
【００１４】
本実施形態において、バターヘッド３Ａの有効振動膜部１２にテンションを付与するフープ２１Ａには、センサ２４が取り付けられている。これらフープ２１Ａ及びセンサ２４は、センサ付フープ２５を構成する。
センサ２４は、少なくとも振動を検出する。本実施形態のセンサ２４は、音圧も検出する。センサ２４の種類としては、圧電型、静電型などが挙げられる。センサ２４には、例えばＰＶＤＦフィルムを用いたセンサ、ピエゾ素子（圧電変換素子）、エレクトレットを用いたセンサなどが適用可能である。
【００１５】
センサ２４は、フープ２１Ａの任意の位置に取り付けられてよい。本実施形態において、センサ２４はフープ２１Ａの突出筒部２７に取り付けられている。センサ２４は、例えば突出筒部２７の外周面に取り付けられてもよいが、本実施形態では突出筒部２７の内周面に取り付けられている。
センサ２４は、例えばバターヘッド３Ａの外側膜部１３に接触してもよいが、本実施形態では接触しない。センサ２４は、例えば突出筒部２７の基端部に取り付けられてもよいが、本実施形態では主に突出筒部２７の先端部に取り付けられている。
【００１６】
センサ２４は、例えば緩衝材などを介してフープ２１Ａに取り付けられてもよいが、本実施形態ではフープ２１Ａに直接取り付けられている。センサ２４は、例えばフープ２１Ａに対して着脱可能に固定されてもよいが、本実施形態では、両面テープ、接着剤等によってフープ２１Ａに対して着脱不能に固定されている。
【００１７】
以上のように構成される本実施形態のスネアドラム１において、バターヘッド３Ａの有効振動膜部１２が打撃されて振動した際には、有効振動膜部１２の振動が、外側膜部１３、フレッシュフープ１４、フープ２１Ａを介してセンサ２４に伝わる。すなわち、バターヘッド３Ａの振動がセンサ２４によって検出される。
また、バターヘッド３Ａの有効振動膜部１２が振動した際には、バターヘッド３Ａの振動に伴って生じる振動音（バターヘッド３Ａの放射音）がセンサ２４に到達する。すなわち、バターヘッド３Ａの放射音の音圧がセンサ２４によって検出される。
【００１８】
また、バターヘッド３Ａの有効振動膜部１２が振動した際には、スネアサイドヘッド３Ｂの有効振動膜部１２も振動する。スネアサイドヘッド３Ｂの振動は、シェル２、バターヘッド３Ａの外側膜部１３、フレッシュフープ１４及びフープ２１Ａを介してセンサ２４に伝わる。すなわち、スネアサイドヘッド３Ｂの振動もセンサ２４によって検出される。
【００１９】
センサ２４において検出された振動や音圧は、電気信号として、配線（不図示）によってセンサ２４に接続されたプリアンプ等の各種機器（不図示）に出力される。センサ２４から出力される電気信号は、各種機器において、例えばオーディオ波形として取り扱われてもよいし、例えばトリガー用の波形として取り扱われてもよい。
【００２０】
以上説明したように、本実施形態のセンサ付フープ２５及びこれを備えるスネアドラム１では、フープ２１Ａに振動、音圧を検出するセンサ２４が取り付けられている。センサ２４は、バターヘッド３Ａの有効振動膜部１２に接触しないため、バターヘッド３Ａの振動を阻害しない。したがって、スネアドラム１の放射音に影響を与えることなく、ドラムヘッド３の振動、ドラムヘッド３の振動に伴って生じる放射音の音圧を、センサ２４によって検出することが可能となる。
【００２１】
また、本実施形態のスネアドラム１では、センサ付フープ２５がバターヘッド３Ａ側に設けられている。このため、バターヘッド３Ａを打撃した瞬間における振動、これに伴うアタック音の音圧を好適に検出できる。したがって、スネアドラム１の放射音を好適な音質、音色で集音することが可能となる。
【００２２】
また、本実施形態のスネアドラム１では、センサ２４がフープ２１Ａと共にシェル２の外側に配されている。このため、センサ２４がシェル２の内面に取り付けられる場合と比較して、センサ２４がドラムヘッド３の振動に伴ってシェル２内部において生じる定在波を過度に検出することを抑制できる。したがって、スネアドラム１の放射音を良好な音質、音色で集音することが可能となる。
【００２３】
また、本実施形態のセンサ付フープ２５及びこれを備えるスネアドラム１では、センサ２４がフープ２１Ａの内周面に取り付けられている。このため、センサ２４をバターヘッド３Ａの有効振動膜部１２側に向けて配することができる。これにより、バターヘッド３Ａの放射音の音圧を好適に検出することができる。
【００２４】
〔第二実施形態〕
次に、図４，５を参照して本発明の第二実施形態について説明する。本実施形態では、第一実施形態と同様の構成要素について同一符号を付す等して、その説明を省略する。
【００２５】
図４，５に示すように、本実施形態のスネアドラム１Ｃは、第一実施形態と同様のシェル２、バターヘッド３Ａ、スネアサイドヘッド３Ｂ（図２参照）及びセンサ付フープ２５を備える。
その上で、本実施形態のスネアドラム１Ｃでは、バターヘッド３Ａの有効振動膜部１２の外周領域１２Ａに、開口孔１５が形成されている。ここで、外周領域１２Ａとは、有効振動膜部１２のうち打撃されない領域、あるいは、演奏において打撃される必要がない領域を示す。バターヘッド３Ａは、ドラムスティック等によって打撃される。このため、バターヘッド３Ａの外周領域１２Ａは、有効振動膜部１２のうちドラムスティック等によって打撃される中央領域１２Ｂを確保できるように、例えば有効振動膜部１２の半径の７５％よりも径方向外側の領域に設定されるとよい。
【００２６】
有効振動膜部１２における開口孔１５の開口面積は、スネアサイドヘッド３Ｂから放射される生の音（放射音）が、バターヘッド３Ａの開口孔１５を通して外部に放射される程度に設定されるとよい。ここで、スネアサイドヘッド３Ｂの放射音には、スネアサイドヘッド３Ｂの振動に伴って生じる振動音の他、スナッピー４によってスネアサイドヘッド３Ｂが打撃されることで生じる打撃音などが含まれる。開口孔１５の開口面積は、例えば１ｃｍ２以上に設定されるとよい。
開口孔１５の形状は、任意であってよい。
【００２７】
センサ付フープ２５のセンサ２４は、少なくとも上記した開口孔１５を通してバターヘッド３Ａ側から外部に放射されるスネアサイドヘッド３Ｂの放射音の音圧を検出可能な位置に配されればよい。すなわち、センサ２４は、少なくともフープ２１Ａ（バターヘッド３Ａ）の周方向において上記した開口孔１５の近傍に位置していればよい。
【００２８】
センサ２４は、例えば図４に示すように、フープ２１Ａの周方向において開口孔１５の両端よりも内側に位置してもよい。また、センサ２４は、例えば、フープ２１Ａの周方向において開口孔１５の両端よりも外側に位置してもよい。また、センサ２４は、例えば、フープ２１Ａの周方向において開口孔１５の両端を跨ぐように位置してもよいし、例えば、開口孔１５の一端又は他端のみを跨ぐように位置してもよい。
【００２９】
本実施形態のスネアドラム１Ｃでは、第一実施形態と同様に、バターヘッド３Ａ及びスネアサイドヘッド３Ｂの振動、バターヘッド３Ａの放射音の音圧がセンサ２４によって検出される。
また、本実施形態のスネアドラム１Ｃでは、スネアサイドヘッド３Ｂの振動に伴って生じるスネアサイドヘッド３Ｂの放射音が、シェル２内及びバターヘッド３Ａの開口孔１５を通してセンサ２４に到達する。すなわち、スネアサイドヘッド３Ｂの放射音の音圧もセンサ２４によって検出される。
【００３０】
以上説明したように、本実施形態のスネアドラム１Ｃによれば、第一実施形態と同様の効果を奏する。
また、本実施形態のスネアドラム１Ｃでは、センサ２４がフープ２１Ａの周方向においてバターヘッド３Ａの開口孔１５の近傍に位置している。このため、スネアサイドヘッド３Ｂの放射音の音圧もバターヘッド３Ａ側に配されたセンサ２４によって検出することができる。すなわち、スネアドラム１Ｃの放射音の音圧を一つのセンサ２４によって検出できる。
【００３１】
以上、本発明について詳細に説明したが、本発明は上記実施形態に限定されるものではなく、本発明の趣旨を逸脱しない範囲において種々の変更を加えることが可能である。
【００３２】
センサ２４は、例えば図４に示すように、スネアサイドヘッド３Ｂの有効振動膜部１２にテンションを付与するフープ２１Ｂに取り付けられてもよい。この場合、センサ２４は、フープ２１Ｂの周方向においてスナッピー４の近傍に配されてもよい。
センサ２４は、スネアドラム１Ｄを軸方向から見て、例えばスナッピー４と重なる位置に配されてもよいし、図４に例示するようにスナッピー４と重ならない位置に配されてもよい。
センサ２４をスネアサイドヘッド３Ｂ側のフープ２１Ｂに取り付けたスネアドラム１Ｄでは、スナッピー４の打撃によるスネアサイドヘッド３Ｂの振動や音圧を高い感度で検出することができる。
【００３３】
センサ２４がスネアサイドヘッド３Ｂ側のフープ２１Ｂに取り付けられる場合、例えばスネアサイドヘッド３Ｂの外周領域に、バターヘッド３Ａと同様の開口孔が形成されてもよい。スネアサイドヘッド３Ｂにおいては、少なくともスナッピー４によって打撃される領域を確保すればよいため、例えばスネアサイドヘッド３Ｂにおける外周領域の内縁の径寸法は、バターヘッド３Ａにおける外周領域１２Ａの内縁の径寸法よりも小さく設定されてもよい。
【００３４】
センサ２４がフープ２１の内周面に配されている場合、フープ２１には、その径方向に貫通する貫通孔が形成されていてもよい。また、貫通孔には、センサ２４に接続されている配線が挿通されていてもよい。この構成では、センサ２４に接続された配線によって、スネアドラムの演奏（例えばドラムスティック等によるバターヘッド３Ａの打撃）が阻害されることを防止できる。すなわち、センサ２４を設けない場合と同様にスネアドラムを演奏することができる。
【００３５】
また、センサ２４が取り付けられるフープ２１には、例えば、センサ２４に接続されるプリアンプ等の各種機器が取り付けられてもよい。各種機器は、例えばフープ２１の外周面に配されてよい。この構成では、センサ２４と各種機器を接続する配線長さが短くなるため、センサ２４から出力される電気信号にノイズが乗ることを抑制できる。また、センサ２４から出力される電気信号のゲイン低下を抑えることもできる。
【００３６】
本発明のセンサ付フープ及びこれを備えるドラムは、スネアドラムに限らず、例えばタムやバスドラムなど、筒状のシェルの少なくとも一方の開口にドラムヘッドを取り付けた他のドラムに適用されてもよい。本発明のセンサ付フープを、バスドラムのうちフロントヘッド側に取り付けられるフープに適用する場合、センサは、フープのうち例えばフロントヘッドに形成された開口孔の近傍に配されてもよい。
【００３７】
また、本発明のセンサ付フープ及びこれを備えるドラムは、ドラムスティックやフットペダル、スナッピーの他、マレットや手など任意の手段によって打撃されることで音が発生する任意のドラムに適用することができる。
また、本発明のセンサ付フープ及びこれを備えるドラムは、筒状に形成されて二つの開口を有する胴部を備えるドラムに適用されることに限らず、例えばティンパニ等のように一つの開口のみを有する胴部を備えるドラムにも適用できる。
【符号の説明】
【００３８】
１，１Ｃ，１Ｄ…スネアドラム（ドラム）、２…シェル（胴部）、３…ドラムヘッド、３Ａ…バターヘッド（第一ドラムヘッド）、３Ｂ…スネアサイドヘッド（第二ドラムヘッド）、１２…有効振動膜部（膜部）、１２Ａ…外周領域、１２Ｂ…中央領域、１３…外側膜部、１５…開口孔、２１，２１Ａ，２１Ｂ…フープ、２４…センサ、２５…センサ付フープ、２６…押付部、２７…突出筒部
【図１】
2017134211.tif 000003
【図２】
2017134211.tif 000004
【図３】
2017134211.tif 000005
【図４】
2017134211.tif 000006
【図５】
2017134211.tif 000007
【図６】
2017134211.tif 000008